(57)【要約】【課題】ドーム型監視カメラの小型化を実現する。【解決手段】ドームカバーと、被写体を撮影するレンズユニットと、前記レンズユニットを固定し、チルト回転可能なチルト回転台と、前記チルト回転台をチルト回転可能に支持し、パン回転可能なパン回転台と、前記パン回転台をパン回転可能に支持するベース部と、筺体からなるドーム型監視カメラにおいて、前記チルト回転台と前記筺体は、同一半径の球面部をそれぞれ有し、前記チルト回転台の球面部と前記筺体の球面部が面接触して熱伝導することを特徴とするドーム型監視カメラ。【選択図】図３
2013143760.tif 000002
【特許請求の範囲】
【請求項１】
ドームカバーと、
被写体を撮影するレンズユニットと、
前記レンズユニットを固定し、チルト回転可能なチルト回転台と、
前記チルト回転台をチルト回転可能に支持し、パン回転可能なパン回転台と、
前記パン回転台をパン回転可能に支持するベース部と、
筺体からなるドーム型監視カメラにおいて、
前記チルト回転台と前記筺体は、同一半径の球面部をそれぞれ有し、
前記チルト回転台の球面部と前記筺体の球面部が面接触して熱伝導することを特徴とする
ドーム型監視カメラ。
【請求項２】
前記チルト回転台の球面部と前記筺体の球面部は、パン回転軸とチルト回転軸の交点を中心とすることを特徴とする請求項１に記載のドーム型監視カメラ。
【請求項３】
前記筺体はカバー部とカメラを固定するためのねじ穴部からなり、前記ねじ穴部が球面部を有することを特徴とする請求項１又は請求項２に記載のドーム型監視カメラ。
【請求項４】
前記チルト回転台と前記筺体部は、金属製であることを特徴とする請求項１又は請求項２に記載のドーム型監視カメラ。
【請求項５】
前記チルト回転台と前記ねじ穴部は、金属製であることを特徴とする請求項３に記載のドーム型監視カメラ。
【発明の詳細な説明】
【技術分野】
【０００１】
本発明は、店舗、ホテル、銀行、駅などの建物に設置されて、不審者等を監視する監視カメラに関する。より詳細には、天井などに設置されて使用することができるドーム型監視カメラに関するものである。
【背景技術】
【０００２】
現在、店舗、ホテル、銀行、駅などの様々な場所で監視カメラが使用されている。このような監視カメラの一例であるドーム型監視カメラは、撮影方向を変えられる回転機構部を内部に有しており、ユーザーが希望する撮影方向に撮影部の向きを変えて、画像を撮影することができる。これらドーム型監視カメラは天井に直接取り付けられたり、埋め込まれたりして設置される。特許文献１には、ドーム型監視カメラのレンズユニットの放熱方法について開示されている。
【先行技術文献】
【特許文献】
【０００３】
【特許文献１】特開平２００１−７８０６６号公報
【発明の概要】
【発明が解決しようとする課題】
【０００４】
しかしながら、上述の特許文献１に開示されたドーム型監視カメラのレンズユニットは、冷却ファンによって撮像素子の冷却を行っている。そのため、冷却ファンと冷却ファンを動作させる回路などが必要で、装置が大型化してしまう。
【課題を解決するための手段】
【０００５】
上記目的を達成するために、本発明のドーム型監視カメラは、
ドームカバーと、
被写体を撮影するレンズユニットと、
前記レンズユニットを固定し、チルト回転可能なチルト回転台と、
前記チルト回転台をチルト回転可能に支持し、パン回転可能なパン回転台と、
前記パン回転台をパン回転可能に支持するベース部と、
筺体からなるドーム型監視カメラにおいて、
前記チルト回転台と前記筺体は、同一半径の球面部をそれぞれ有し、 
前記チルト回転台の球面部と前記筺体の球面部が面接触して熱伝導することを特徴とする。
【発明の効果】
【０００６】
本発明によれば、ドーム型監視カメラの小型化を実現することができる。
【図面の簡単な説明】
【０００７】
【図１】本発明の実施例におけるドーム型監視カメラの部分断面斜視図
【図２】本発明の実施例におけるドーム型監視カメラの分解図
【図３】本発明の実施例におけるドーム型監視カメラの断面図
【図４】従来のドーム型監視カメラの断面図
【発明を実施するための形態】
【０００８】
以下に、本発明の好ましい実施形態を、添付の図面、図１〜３に基づいて説明する。図１は、本発明の実施例におけるドーム型監視カメラの部分断面斜視図である。図２は、本発明の実施例におけるドーム型監視カメラの分解図である。図３は、本発明の実施例におけるドーム型監視カメラの断面図である。
【０００９】
図４は、従来のドーム型監視カメラの断面図である。
【００１０】
ドームカバー１２は、透明または半透明のプラスチック製のカバー部材であり、半球形状に形成されている。ドームカバー１２は、図示しないねじなどによって、上ケース１３に対して固定される。
【００１１】
カメラの筺体は上ケース１３、下ケース１４、三脚ねじ穴１５などから構成される。上ケース１３は、ドームカバー１２が取り付けられ、下ケース１４に対して固定される。下ケース１４は、上ケース１３が取り付けられ、さらには電気基板５１およびベース部４１を支持する。下ケース１４の底面部には、図示しない設置部に対する取り付け構造が備えられている。三脚ねじ穴１５は下ケース１４に取り付けられる。ドーム型監視カメラ１０は、下ケース底面部に設けられた取り付け構造または三脚ねじ穴１５を使用して天井などに設置される。三脚ねじ穴１５は、球面部を有する。
【００１２】
撮影光学系を含むレンズユニット２１は、ドームカバー１２により覆われ、ドーム型監視カメラ１０の内部から外界（被写体）を撮影する。このレンズユニット２１は、鏡筒、鏡筒に固定される固定レンズ、ズーム調整やフォーカス調整を行う可動レンズ、可動レンズを可動させるモーターなどから構成される。なお、これらの固定レンズ、可動レンズ、モーターなどについては、図示していない。発熱部２６は、撮像素子や撮像素子などが実装された基板からなる。発熱部２６で発生した熱は、放熱シート２７を経て、チルト回転台２４に熱伝導する。レンズカバー２５は、レンズユニット２１の前側を覆っていて、カメラの外から見てレンズユニット２１がどこを向いているか、どこを監視しているかを、わかりづらくするものである。
【００１３】
レンズユニット２１および発熱部２６により生成された映像信号は、不図示のケーブルなどにより、電気基板５１に伝送される。電気基板５１はレンズユニット２１と発熱部２６から生成された映像信号を処理し、処理した映像信号に対して圧縮符号化処理を施す。そして、電気基板５１は、圧縮符号化処理を施した映像信号を、例えば、ネットワークを介して外部のカメラ制御装置へ配信する。なお、本実施形態における電気基板５１は、１枚の基板で構成されているが、これに限るものではない。例えば、２枚以上の基板で電気基板５１を構成するようにしても良い。
【００１４】
チルト回転台２４はレンズユニット２１を固定し、軸Ｔ中心にチルト回転し、レンズユニット２１の撮影方向を変えることができる。チルト回転台２４は、ドームカバー１２の内側に配置される。チルト回転台２４は、その外面に球面部を有する。パン回転台３２は、チルト回転台２４を軸Ｔ中心にチルト回転可能に支持する。パン回転台３２は、ベース部４１に対して軸Ｐ中心にパン回転可能に取り付けられる。ベース部４１は、パン回転台３２を軸Ｐ中心にパン回転可能に支持し、下ケース１４に図示しないビスなどによって固定される。
【００１５】
レンズユニット２１がドームカバー１２の天頂部方向を向いている時、チルトの撮影方向を０度とすると、例えばレンズユニット２１は０度〜９０度の範囲でチルト回転動作し、−１８０度〜＋１８０度の範囲でパン回転動作する。
【００１６】
チルト回転台２４の球面部と三脚ねじ穴１５の球面部の二つの球面は、同一半径である。さらに、チルト回転台２４の球面部と三脚ねじ穴１５の球面部の二つの球面は、軸Ｐと軸Ｔの交点を中心とする。チルト回転台２４の球面部と三脚ねじ穴１５の球面部は、面接触し、熱伝導によって伝熱する。チルト回転台２４の球面部と三脚ねじ穴１５の球面部は、軸Ｐと軸Ｔの交点を中心とするので、レンズユニット２１が撮影方向を変えても、常に接触している。三脚ねじ穴１５に熱伝導によって伝わった熱は、カメラが設置される天井や外気などのカメラ外部に放熱される。三脚ねじ穴１５とチルト回転台２４は、熱伝導率が高い材料、たとえばアルミなどの金属製である。以上の構成により、効果的に放熱することができ、監視カメラを小型化することができる。
【００１７】
図４は従来のドーム型監視カメラ７０の断面図である。発熱部２６で発した熱は、放熱シート２７を介して、チルト回転台２４へ伝わる。チルト回転台２４へ伝わった熱は、チルト回転台２１周辺の空気へ伝わる。チルト回転台２４周辺の空気は、カメラ内部の空気の対流などによって、上ケース１３や下ケース１４へ伝熱し、そしてカメラ外部へ放熱している。
【００１８】
カメラ内部空間は狭いため、カメラ内部で空気の対流が十分に起こらず、従来のドーム型監視カメラは撮像素子などからなる発熱部２６の放熱性能が低かった。
【００１９】
以上、本発明の好ましい実施形態について説明したが、本発明はこの実施形態にのみ限定されるものではなく、その要旨の範囲内で種々の変形及び変更が可能である。
【００２０】
たとえば、実施例中では下ケース１４と三脚ねじ穴１５を別々の部品として説明したが、下ケース１４と三脚ねじ穴１５が一体の部品であってもよい。
【符号の説明】
【００２１】
１０   ドーム型監視カメラ
１２   ドームカバー
１３   上ケース
１４   下ケース
１５   三脚ねじ穴
２１   レンズユニット
２４   チルト回転台
２５   レンズカバー
２６   発熱部
２７   放熱シート
３２   パン回転台
４１   ベース部
５１   電気基板
７０   ドーム型監視カメラ
７１   三脚ねじ穴
【図１】
2013143760.tif 000003
【図２】
2013143760.tif 000004
【図３】
2013143760.tif 000005
【図４】
2013143760.tif 000006